(57)【要約】【課題】            メンテナンス作業等の作業性が向上された開閉装置の設置構造を提供する。【解決手段】        エレベータ用扉２の手前側の空間を少なくとも上枠部１１と左右の側枠部１２，１３とにより三方から囲む枠組部材１０と、該枠組部材１０内の空間を上下方向へ仕切ったり開放したりすべく開閉体２１を上枠部１１内から繰出したり同上枠部１１内へ収納したりする繰出収納装置２０とを備え、繰出収納装置２０は、その略全部または一部分が上枠部１１内に配置され、枠組部材１０は、上枠部１１の手前寄りの部位であって上枠部１１内の繰出収納装置２０に対応する部位に、扉部材１１ｃ２により開閉される開口部１１ｃ３を有する。【選択図】          図１
2005097867.tif 000002
【特許請求の範囲】
【請求項１】
エレベータ用扉の手前側の空間を少なくとも上枠部と左右の側枠部とにより三方から囲む枠組部材と、該枠組部材内の空間を上下方向へ仕切ったり開放したりすべく開閉体を前記上枠部内から繰出したり同上枠部内へ収納したりする繰出収納装置とを備えた開閉装置の設置構造において、
前記繰出収納装置は、その略全部または一部分が前記上枠部内に配置され、
前記枠組部材は、前記上枠部の手前寄りの部位であって前記上枠部内の前記繰出収納装置に対応する部位に、扉部材により開閉される開口部を有することを特徴とする開閉装置の設置構造。
【請求項２】
上記開口部を、上記上枠部の手前面側から同上枠部の下面側にわたって設けたことを特徴とする請求項１記載の開閉装置の設置構造。
【請求項３】
上記開口部を、上記繰出収納装置における開閉体幅方向の長さと略同等の長さ、又は該長さよりも長く形成したことを特徴とする請求項１又は２記載の開閉装置の設置構造。
【発明の詳細な説明】
【技術分野】
【０００１】
本発明は、エレベータ扉の手前側の空間を仕切ったり開放したりする開閉装置の設置構造に関し、特に、火災発生等の非常時にエレベータシャフトを介して室内側へ炎や煙等が侵入するのを阻むのに好適な開閉装置の設置構造に関する。
【背景技術】
【０００２】
エレベータ籠の上下方向への通路を確保するエレベータシャフトは、エレベータが設置される建物内や、地下街等の構築物内に上下方向にわたって形成されることから、火災発生時には炎や煙等の通路となるおそれがある。このため、前記エレベータシャフトを介して炎や煙等が上下階の室内側へ侵入するのを防止するために、火災発生時等にエレベータ用扉よりも手前側の枠組部材内の開口部を閉鎖するようにした開閉装置がある。
【０００３】
例えば、特許文献１に記載された従来技術は、エレベータ用扉７の手前側の空間を上枠部材（１３）と左右の側枠部材（１４）とにより三方から囲む開口部用外枠組み（１５）と、該開口部用外枠組み（１５）内の空間を仕切ったり開放したりすべく巻取軸（３４）によりシャッターカーテン（３０）を繰出したり巻取ったりする上下動手段（３３）とを備え、前記上下動手段（３３）を前記上枠部材（１３）の開閉体厚さ方向（エレベータ籠に対し入ったり出たりする方向）の寸法内に収めるように構成することで、エレベータホール側の空間が十分に確保されるようにしている。
【０００４】
しかしながら、上記従来技術によれば、巻取軸（３４）や上下動手段（３３）等に対してメンテナンス作業を行う際には、エレベータ籠の上面に乗った作業者がエレベータシャフト（２）側から作業をする必要があった。
なお、上記のような従来技術では、特許文献１には図示されていないが、ブラケット（３８）や保持部材（２１）は巻取軸（３４）の軸方向に連続していないため、エレベータシャフト（２）側からのメンテナンス作業が可能であった。
しかし、開閉機（３６）やブレーキ装置（３７）に対するメンテナンス作業の際には、ブラケット（３８）や保持部材（２１）等が邪魔になって作業がし難い場合があった。
【特許文献１】特開２００３−８９４９０号公報
【発明の開示】
【発明が解決しようとする課題】
【０００５】
本発明は上記従来事情に鑑みてなされたものであり、その課題とする処は、メンテナンス作業等の作業性が向上された開閉装置の設置構造を提供することにある。
【課題を解決するための手段】
【０００６】
上記課題を解決するために第一の発明は、エレベータ用扉の手前側の空間を少なくとも上枠部と左右の側枠部とにより三方から囲む枠組部材と、該枠組部材内の空間を上下方向へ仕切ったり開放したりすべく開閉体を前記上枠部内から繰出したり同上枠部内へ収納したりする繰出収納装置とを備えた開閉装置の設置構造において、前記繰出収納装置は、その略全部または一部分が前記上枠部内に配置され、前記枠組部材は、前記上枠部の手前寄りの部位であって前記上枠部内の前記繰出収納装置に対応する部位に、扉部材により開閉される開口部を有することを特徴とする。
【０００７】
ここで、上記枠組部材とは、エレベータ用扉の手前側の空間を少なくとも上枠部と左右の側枠部とにより三方から囲む部材であればよく、すなわち前記空間を上枠部と左右の側枠部と下枠部とにより四方から囲む部材であってもよい。
なお、この枠組部材には、上枠部と左右の側枠部とからなる一般的な三方枠を含む。
また、上記「エレベータ用扉の手前側」とは、エレベータ扉を基準にしてエレベータ籠と反対側であることを意味する。
また、上記「上枠部の手前寄りの部位」とは、エレベータ扉を基準にしてエレベータ籠と反対側の部位であればよい。
【０００８】
また、上記繰出収納装置は、小型で施工性に優れた好ましい態様として、上記開閉体を巻取軸により巻取ったり繰出したりする巻取装置が挙げられる。
この繰出収納装置の他の態様としては、開閉体を巻取ことなく上記上枠部の上方へ収納する態様や、開閉体を折り畳むことで上記上枠部の上方へ収納する態様、複数の板材等からなる開閉体をスライドさせて重ね合わせながら上記上枠部の上方へ収納するようにした態様等が挙げられる。
そして、この繰出収納装置は、その略全部または一部分が上記上枠部内に位置するように設けられていれば、上記枠組部材内に支持されていてもよいし、上記枠組部材以外の部材（例えば上記枠組部材が設置される構造物側の部位）に支持されていてもよい。
また、この繰出収納装置の駆動源は、電動モータ等を用いた電気的な構成や、バネ等の付勢部材を用いた構成、開閉体や錘部材の自重を利用した構成、これら構成を組み合わせてなる構成等、これらの内の何れの構成であってもよい。
【０００９】
また、上記開閉体の具体例としては、複数のスラットを開閉方向へ連設してなる開閉体や、単数もしくは複数連設したパネルや、シート状物からなる開閉体、あるいはスラット、パネル、シート状物等を適宜に組み合わせてなる開閉体等が挙げられる。
この開閉体の特に好ましい態様としては、シリカクロス等の耐火性を有する布地により構成される。この態様によれば、当該開閉装置の設置構造を、防火防煙性能を有する構造とすることができる上、軽量な布地性の開閉体を用いているため、開閉体の開閉動作を高速化することができる。
【００１０】
また、上記開口部は、上記上枠部の手前寄りの部位に配置されるものであり、この開口部の具体的例としては、上記上枠部の手前面部のみに形成された態様や、上記上枠部の下面部のみに形成された態様、上記上枠部の手前面部から下面部にわたって形成された態様等を含む。
また、上記開口部は、上記扉部材により開閉可能なものであればよいが、メンテナンス性を向上する観点より、好ましくは、メンテナンス等を行う作業者が少なくとも手を挿入可能な大きさの開口部とされ、更に好ましくは、上記繰出収納装置の全部または上記繰出収納装置を構成する部品を通過可能な大きさの開口部とされる。
【００１１】
また、上記扉部材は、上記開口部を開閉可能なものであればよく、この扉部材には、軸支部を支点に回動することで上記開口部を開閉する態様や、スライドすることにより上記開口部を開閉する態様、上記開口部を片開き状に開閉する態様、上記開口部を両開き状に開閉する態様、上記上枠部に着脱されることで上記開口部を開閉する態様等を含む。
【００１２】
なお、本明細書中において「開閉体厚さ方向」とは、閉鎖状態の上記開閉体の厚さ方向を意味する。
また、本明細書中において「開閉体開閉方向」とは、上記開閉体が開閉動作する方向であって、開閉体の幅方向や厚さ方向でない方向を意味する。
また、本明細書中において「開閉体幅方向」とは、上記開閉体の開閉方向と略直交する方向であって、上記開閉体の厚さ方向ではない方向を意味する。
【００１３】
また、第二の発明では、上記開口部を、上記上枠部の手前面側から同上枠部の下面側にわたって設けたことを特徴とする。
【００１４】
また、第三の発明では、上記開口部を、上記繰出収納装置における開閉体幅方向の長さと略同等の長さ、又は該長さよりも長く形成したことを特徴とする。
【発明の効果】
【００１５】
本発明は、以上説明したように構成されているので、以下に記載されるような作用効果を奏する。
第一の発明によれば、上記開口部を介して枠組部材の手前側から繰出収納装置に対するメンテナンス作業等を行うことができる。
しかも、上記開口部を介してエレベータ用扉やエレベータ籠の上部側等に対するメンテナンス作業等を行うことも可能である。
したがって、メンテナンス作業等の作業性が向上された開閉装置の設置構造を提供することができる。
【００１６】
更に、第二の発明によれば、上枠部を手前面側から下面側にわたって広く開口することができるため、メンテナンス作業等の作業性をより向上することができる。
【００１７】
更に、第三の発明によれば、繰出収納装置に対して開閉体幅方向の略全長にわたって、枠組部材の手前側からメンテナンス作業等を行うことができる。
しかも、枠組部材を設置した後に、上記開口部から繰出収納装置を設置することも可能であり、メンテナンス作業や据付作業等の際における現場状況への対応性に優れている。
【発明を実施するための最良の形態】
【００１８】
以下、本発明の実施の形態を図面に基づいて説明する。
先ず、本発明に係わる開閉装置の設置構造Ａが適用される構造物９０について説明すれば、この構造物９０は、図１及び図２に示すようにエレベータ籠１が昇降する通路であるエレベータシャフト９１とエレベータホール９２との間に壁９３を有する。
そして、この壁９３は、エレベータシャフト９１とエレベータホール９２とを連通する略矩形状の開口部９４を有するとともに、該開口部９４の上方側に、略垂れ下がり状の下がり壁９３ａを形成している。
また、開口部９４内のエレベータシャフト９１側には、吊戸タイプのエレベータ用扉２が、横幅方向（図２における左右方向）に開閉動作するように配設されている。
【００１９】
本発明に係わる開閉装置の設置構造Ａは、上記エレベータ用扉２よりもエレベータホール９２側の空間であって下がり壁９３ａの略壁厚内の空間に構成される。
この設置構造Ａは、前記空間を上側と左右側の少なくとも三方から囲む枠組部材１０と、該枠組部材１０の上枠部１１内に配置されるとともに開閉体２１を上枠部１１内から下方へ繰出したり同上枠部１１内へ収納したりする繰出収納装置２０とを具備している。
【００２０】
枠組部材１０は、上枠部１１と左右の側枠部１２，１３とからなる略コ字状に構成され、これら上枠部１１及び側枠部１２，１３と床面９５とにより囲まれる通路空間Ｓを確保している。
上枠部１１、左側の側枠部１２、右側の側枠部１３は、ステンレスや鋼板等の金属材料からなり、壁９３の開口部９４に容易に装着できるように、溶接等の接合手段により予め一体的に枠組されている。
なお、上枠部１１、左側の側枠部１２、右側の側枠部１３の各部を予め別体に形成し、前記開口部９４に装着される際に略コ字状に構成されるようにすることも可能である。
【００２１】
上枠部１１は、本実施の形態の好ましい一例によれば、エレベータホール９２側に略直立した手前面部１１ａと、通路空間Ｓの天面となる下面部１１ｃとを連接してなる断面略Ｌ字状に形成されている。
なお、この上枠部１１の断面形状は、前記断面Ｌ字状に限定されるものでなく、繰出収納装置２０の略全部または一部分を内部に配置可能な形状であればよい。
【００２２】
この上枠部１１における手前寄り（図１及び図３における左寄り）の部位であって繰出収納装置２０に対応する部位には、扉部材１１ｃ２により開閉される開口部１１ｃ３（図３参照）が貫通形成されている。
【００２３】
この開口部１１ｃ３は、手前面部１１ａから下面部１１ｃにわたる略Ｌ字状であって、繰出収納装置２０における開閉体幅方向の長さと略同等の長さに形成されている。
そして、この開口部１１ｃ３の高さ寸法は、繰出収納装置２０全体の高さ寸法と略同等、または該高さ寸法よりも若干大きく設定されている。
【００２４】
なお、この開口部１１ｃ３は、メンテナンス性を向上する観点より、繰出収納装置２０における開閉体幅方向の長さと略同等の長さ、又は該長さよりも長く形成されるのが好ましいが、繰出収納装置２０において比較的点検回数が多い要部（例えば、駆動源２５や巻取軸２２両端側の軸支部位等）に対応させて、開閉体幅方向に単数もしくは複数設けられるようにしてもよい。
【００２５】
また、この開口部１１ｃ３は、メンテナンス性を向上する観点より、繰出収納装置２０の全高寸法と略同等の高さ寸法、又は該全高寸法よりも大きい高さ寸法に形成されるのが好ましいが、繰出収納装置２０において比較的点検回数が多い要部（例えば、駆動源２５や巻取軸２２両端側の軸支部位等）に対応させて、高さ方向に単数もしくは複数設けられるようにしてもよい。
【００２６】
また、扉部材１１ｃ２は、断面略Ｌ字状を呈し、上枠部１１における手前面部１１ａの上端寄りに略水平状に配設された蝶番等の軸支部材に支持され、該軸支部材を支点にして回動することで、開口部１１ｃ３を開閉する。
【００２７】
この扉部材１１ｃ２の前記軸支部材側と上枠部１１の手前面部１１ａとの間には、扉部材１１ｃ２の開放状態を維持することで、繰出収納装置２０に対するメンテナンス作業を良好にするように、支持装置１１ｄが具備されている。
【００２８】
この支持装置１１ｄは、図示例によれば、一片部１１ｄ１と他片部１１ｄ２とを回動可能にリンク接合するとともに、これら一片部１１ｄ１と他片部１１ｄ２との略直線状の配置が長手方向の圧縮力により維持されるようにした装置であり、前記一片部１１ｄ１の先端部を扉部材１１ｃ２に軸支するとともに、前記他片部１１ｄ２の先端部を上枠部１１の手前面部１１ａに軸支することで取付けられている。
【００２９】
なお、この支持装置１１ｄは、扉部材１１ｃ２の開放状態を維持可能であれば他の態様に置換されてもよく、例えば、一端側を上枠部１１の手前面部１１ａに軸支するとともに、他端側を開放状態の扉部材１１ｃ２に掛合させるようにした突っ支い棒状の態様や、複数の筒体をスライド伸縮するように入れ子状に構成するとともに伸長状態で所定の圧縮力に対抗するようにした装置を、手前面部１１ａと開放状態の扉部材１１ｃ２との間に配設した態様等であってもよい。
【００３０】
また、扉部材１１ｃ２の自由端部（先端部）と下面部１１ｃとの間には、ラッチやマグネット等の係脱部材１１ｅが設けられる。
したがって、扉部材１１ｃ２は、前記係脱部材１１ｅによって、閉鎖された際に下面部１１ｃに係止され、開放される際には前記係止が外されることになる。
【００３１】
また、側枠部１２と側枠部１３の各々は、ステンレスや鋼板等の金属材料からなり、壁９３の開口部９４側面にならう断面略コ字状を呈するとともに、エレベータホール９２側に末広がり状の傾斜面を設ける等、意匠性を良好にした形状に形成される。
そして、側枠部１２には、開閉体２１を開閉方向（図示例によれば上下方向）へ導くガイドレール１２ａが設けられ、側枠部１３にも、同様のガイドレール１３ａが設けられている。
【００３２】
各ガイドレール１２ａ（１３ａ）は、側枠部１２（１３）に一体的に加工されることで、開閉体２１の幅方向（図２によれば左右方向）の端部を囲む断面略凹状に形成されている。
そして、各ガイドレール１２ａ（１３ａ）と開閉体２１の幅方向の端部との間には、開閉体２１が各ガイドレール１２ａ（１３ａ）から開閉体幅方向に離れる方向へ抜けてしまうのを阻む構造や、開閉体２１の幅方向の端部と各ガイドレール１２ａ（１３ａ）との隙間から炎や煙等が内外へ通過するのを阻む構造等、防災機能を目的とした構成が具備されている。
【００３３】
なお、本実施の形態の各ガイドレール１２ａ（１３ａ）は、側枠部１２（１３）に一体的に加工されることで、簡素な構造でもって、各ガイドレール１２ａ（１３ａ）の強度を補強するとともに意匠性や施工性等を向上した好ましい一例を示しているが、このガイドレール１２ａ（１３ａ）は、側枠部１２（１３）とは別体に構成されるとともに、側枠部１２（１３）の表面に止着された構成とすることも可能である。
【００３４】
また、繰出収納装置２０は、枠組部材１０内の通路空間Ｓを上下方向へ仕切ったり開放したりする開閉体２１や、該開閉体２１を巻取ったり繰出したりする巻取軸２２、該巻取軸２２を両端側で回動自在に支持する支持ブラケット２３，２４（図２参照）、該巻取軸２２を伝動手段２６を介して回動させる駆動源２５等を具備している。
【００３５】
開閉体２１は、上端部を巻取軸２２の外周面に吊持された状態で、通路空間Ｓを遮蔽可能な略矩形シート状の本体部２１ａと、該本体部２１ａの閉鎖方向の端部（図示例によれば下端部）に略水平状に止着された座板部２１ｂとからなる。
【００３６】
本体部２１ａは、本実施の形態の好ましい一例によれば、耐火性に優れ軽量なシリカクロス性の布地からなり、開閉体幅方向に長い略矩形帯状のシート材を、開閉体開閉方向に複数連接して構成してもよいし、一枚のシート材から構成してもよい。
なお、本体部２１ａの材質は、上記態様に限定されるものでなく、ガラスクロスや、フッ素加工を施した塩化ビニル樹脂シート材、ガラス繊維を含んだ合成樹脂シート材等とすることも可能である。
【００３７】
座板部２１ｂは、開閉体２１が閉鎖された際に構造物９０の床面９５に対して開閉体幅方向にわたって当接し、開閉体２１が開放された際には、上枠部１１における開閉体挿通孔１１ｃ１の外面側に当接する部材であり、例えば断面略逆Ｔ字状に形成されている。
そして、この座板部２１ｂは、金属材料等の耐火性を有する材料から構成され、開閉体２１が閉鎖される際に、自重により本体部２１ａの皺や弛みを引き伸ばすとともに、閉鎖状態の開閉体２１と床面９５との間に、煙や炎等が通過するのを阻む。
【００３８】
また、巻取軸２２は、上枠部１１の開閉体幅方向の略全長にわたって設けられた軸部材であり、その両端部にベアリング等の回動補助部材を介して、支持ブラケット２３，２４により略水平状に支持されている。
【００３９】
支持ブラケット２３，２４の各々は、断面略コ字状の補強形状を呈する金属製の部材であり、その略垂直な面により上記巻取軸２２の端部側を支持するとともに、上枠部１１内面または左右の側枠部１２，１３内面に固定されている。
【００４０】
駆動源２５は、電動モータからなる開閉機２５ａ、及びブレーキ装置２５ｂ等からなり、開閉機２５ａの駆動軸に伝動手段２６を介することで、その回転動力を巻取軸２２へ伝達している。
そして、この駆動源２５は、略Ｌ字状の取付ブラケット２５ｃを介して、上枠部１１の内面に固定されることで、巻取軸２２の上方に配置されている。
【００４１】
また、この駆動源２５は、図示しない制御部に電気的に接続され、煙検知センサーや炎検知センサー等、構造物９０の適所に設置される各種防災センサーからの信号に基づき制御されることで、ブレーキ装置２５ｂを解除する。その際、開閉体２１は、自重により閉鎖方向へ繰出されることになる。
その他、この駆動源２５は、枠組部材１０側の適所に設けられた手動操作スイッチ（図示せず）と電気的に接続されており、非常時等には前記手動操作スイッチの操作による開閉動作を可能にされている。
なお、開閉体２１の開閉動作の契機となる手段は、上記以外の電気的な構成や機械的な構成（例えば手動等で引かれるワイヤーに連動して開閉体が開閉動作するようにした構成）等であってもよい。
【００４２】
また、伝動手段２６は、スプロケットとチェーンや、ベルトとプーリ、複数の歯車、あるいはこれらの組み合わせ等からなる動力伝達機構であり、駆動源２５の回転動力を、所定比率の回転数の回転動力に変換し、巻取軸２２に伝達している。
【００４３】
図中、符号３０は、エレベータホール９２の天井面を構成する天井部である。
この天井部３０は、上枠部１１の手前面部１１ａよりも手前側（エレベータホール９２側）に、前記手前面部１１ａに近接または接触して配設され、図示しない吊ボルト等の吊り部材や、ブラケット等により構造物９０等に固定されている。
【００４４】
そして、この天井部３０には、扉部材３２により開閉可能な開口部３１が上下方向に貫通して形成されている。
この開口部３１は、上枠部１１の手前面部１１ａから手前側（図１によれば左側）へ適宜離れた位置に配置され、メンテナンス等の為に人が頭側から進入可能な大きさに形成され、より好ましくは、繰出収納装置２０の上部側へのメンテナンス性を向上するために、繰出収納装置２０の開閉体幅方向の長さと略同等または該長さよりも長い幅寸法に形成される。
【００４５】
また、扉部材３２は、開口部３１を閉鎖するように、天井部３０に装着された略矩形板状の部材である。
この扉部材３２は、その一端側が蝶番等の軸支部材を介して天井部３０に軸支されることで、開口部３１を開閉可能にするとともに、その他端側と天井部３０との間にラッチやマグネット等の係脱部材（図示せず）を介することで、該他端側を天井部３０に係脱させる。
【００４６】
そして、上記構成の開口部３１は、繰出収納装置２０や、エレベータ用扉２、エレベータ籠１等の上部側を点検可能にしている。
すなわち、天井部３０の開口部３１からは、例えば、壁９３の開口部９４における繰出収納装置２０上方の空間を介して、繰出収納装置２０や、エレベータ用扉２、エレベータ籠１等の上部側を点検可能である。
【００４７】
而して、上記構成の設置構造Ａによれば、上枠部１１の開口部１１ｃ３を介して上枠部１１の手前側から繰出収納装置２０に対するメンテナンス作業等を行うことができる。
しかも、同開口部１１ｃ３からは、例えば開閉体２１の座板部２１ｂを外し本体部２１ａを全て巻取軸２２に巻取ってしまえば、巻取られた本体部２１ａの下側の空間を介して、エレベータ用扉２やエレベータ籠１の上部側を点検可能である。なお、この効果を得るためには、座板部２１ｂを本体部２１ａに対して着脱可能に接続した態様とすることが好ましい。
【００４８】
また、上枠部１１の開口部１１ｃ３が繰出収納装置２０の開閉体幅方向の略全長にわたって形成されるとともに、同開口部１１ｃ３が繰出収納装置２０の全高寸法よりも大きい高さ寸法に形成されているため、繰出収納装置２０に対するメンテナンス作業を、開閉体幅方向および上下方向の全体にわたって容易に行える上、繰出収納装置２０の部品を交換したり、繰出収納装置２０全体を交換したり、あるいは、枠組部材１０及び繰出収納装置２０の据付作業の際に、枠組部材１０を設置した後に、開口部１１ｃ３から繰出収納装置２０を設置したり等することも可能である。
しかも、開口部１１ｃ３が下面部１１ｃ側にも開口されているため、繰出収納装置２０の下部に対するメンテナンス作業も容易に行える。
【００４９】
なお、上記実施の形態の好ましい一例によれば、上枠部１１の開口部１１ｃ３から繰出収納装置２０の上下方向の略全体が点検できるように、繰出収納装置２０の略全部を上枠部１１内に配置するとともに、上枠部１１の開口部１１ｃ３の上下寸法を、繰出収納装置２０全高寸法よりも大きくしているが、繰出収納装置２０の一部分を上枠部１１内に配置することで、その一部分が開口部１１ｃ３から点検されるようにすることも可能である。
【００５０】
また、上記実施の形態の好ましい一例によれば、繰出収納装置２０を上枠部１１内に固定し、繰出収納装置２０と枠組部材１０を一体化することで、繰出収納装置２０及び枠組部材１０を構造物９０の開口部９４へ設置する際の施工性を向上しているが、この繰出収納装置２０は、その略全部または一部分が上枠部１１の開口部１１ｃ３に対応して配置されるようにすれば、吊りボルト等の吊持部材により下がり壁９３ａに吊り下げて固定しても構わない。
【００５１】
また、上記実施の形態の好ましい一例によれば、扉部材１１ｃ２が略水平状の軸止部材を支点にして上下方向へ沿って回動するようにしたが、図４に示す設置構造Ｂのように、扉部材１１ｃ２’を、略垂直状の軸止部材を支点にして前後方向へ沿って回動させるようにしてもよい。
この設置構造Ｂによれば、開放位置にて扉部材１１ｃ２’を支持しなくてもよいため、上記設置構造Ａにおける支持装置１１ｄを省き、枠組部材１０の生産性を向上することができる。
【００５２】
また、上記実施の形態によれば扉部材１１ｃ２や扉部材１１ｃ２’を回動させることで開閉動作するようにしたが、図５に示す設置構造Ｃのように、扉部材１１ｃ２”を上下方向へのスライドにより開閉させるようにしてもよい。
この設置構造Ｃによれば、扉部材１１ｃ２”により開閉される開口部１１ｃ３”は、上枠部１１の手前面部１１ａのみに形成されている。
扉部材１１ｃ２”は、開口部１１ｃ３”の左右端部に設けられたガイドレール１１ｃ４”に導かれて上下方向へスライドするとともに、閉鎖位置の際にマグネットやラッチ等の係脱部材１１ｃ５”等により手前面部１１ａに掛合するように構成されている。
【００５３】
なお、設置構造Ｂ及び設置構造Ｃにおいて上述した構成以外の部位については、上記設置構造Ａと略同様の構成としているため、上記設置構造Ａと同一の符号を付けることで重複する詳細説明を省略する。
【図面の簡単な説明】
【００５４】
【図１】本発明に係わる開閉装置の設置構造の一例を示す縦断面図。
【図２】同開閉装置の設置構造の正面図。
【図３】同開閉装置の設置構造の要部縦断面図。
【図４】本発明に係わる開閉装置の設置構造の他例を示す要部縦断面図。
【図５】本発明に係わる開閉装置の設置構造の他例を上方側から示す要部断面図。
【符号の説明】
【００５５】
２：エレベータ用扉
１０：枠組部材
１１：上枠部
１１ａ：手前面部
１１ｃ：下面部
１１ｃ２：扉部材
１１ｃ３：開口部
１２，１３：側枠部
２１：開閉体
２０：繰出収納装置
Ａ：設置構造
【図１】
2005097867.tif 000003
【図２】
2005097867.tif 000004
【図３】
2005097867.tif 000005
【図４】
2005097867.tif 000006
【図５】
2005097867.tif 000007